(57)【要約】      （修正有）【課題】シャッター部材を備えた光ファイバーアダプターを提供する。【解決手段】光ファイバーアダプターは、本体５００、第１のシャッター部材７００、第２のシャッター部材８００および、第１の開口部５１７から本体の中に配置される内側ハウジング６００を備える。第１のシャッター部材は、第１の基部７３０が本体の第１の壁面に配置され、第１の接続部が第１の基部に接続しており、第１の支持部が第１の接続部から延在しており、第１のシャッター板７１０が第１の支持部に接続して本体の第３の壁に向かって延在している。第２のシャッター部材は、第２の基部８３０が本体の第３の壁面に配置され、第２の接続部８２０が第２の基部に接続しており、第２の支持部８５０が第２の接続部８２０から延在しており、第２のシャッター板８１０が第２の支持部に接続して本体の第１の壁に向かって延在している。【選択図】図１０
2018136520.tif 000002
【特許請求の範囲】
【請求項１】
第１の壁、第２の壁、第３の壁および第４の壁によって画定された収容室を有する本体であって、前記第１の壁は前記第３の壁に面し、かつ前記第２の壁と第４の壁とを接続しており、前記収容室は、軸方向に対向する第１および第２の開口部を有し、前記第２の開口部は、第１の光ファイバーコネクターを前記収容室に挿入することができるように構成されている本体と、
前記収容室内に配置される弾性の第１のシャッター部材であって、
前記第１の壁面に配置される第１の基部、
第１の支持部、
前記第１の基部と前記第１の支持部とを接続する第１の接続部、および
前記第１の支持部から前記第３の壁に向かって延在する第１のシャッター板
を含み、前記第１の支持部は前記第１のシャッター板を駆動して移動させるように構成されている第１のシャッター部材と、
前記収容室内に配置される弾性の第２のシャッター部材であって、
前記第３の壁面に配置される第２の基部、
第２の支持部、
前記第２の基部と前記第２の支持部とを接続する第２の接続部、および
前記第２の支持部から前記第１の壁に向かって延在する第２のシャッター板
とを含み、前記第２の支持部は前記第２のシャッター板を駆動して移動させるように構成されている前記第２のシャッター部材と、
前記本体の前記収容室内に配置される内側ハウジングであって、前記内側ハウジングは第５の壁、第６の壁、第７の壁および第８の壁によって画定された収容室を有し、前記第５の壁は前記第１および第７の壁に面し、かつ前記第６の壁と第８の壁とを接続しており、前記内側ハウジングの前記収容室は、軸方向に対向する第３および第４の開口部を有し、前記第３の開口部は、第２の光ファイバーコネクターを前記内側ハウジングの前記収容室に挿入することができるように構成されている内側ハウジングと
を備え、
前記第１の光ファイバーコネクターを前記第２の開口部から挿入することにより前記第１および第２のシャッター板をそれぞれ前記第１および第３の壁に向かって揺動させることを特徴とする、２つの光ファイバーコネクターを互いに光学的に結合するための光ファイバーアダプター。
【請求項２】
前記第２の接続部は実質的にＣ字形の断面を有し、かつ前記第１の光ファイバーコネクターを前記第２の開口部から前記本体の前記収容室に挿入した際に前記第１の光ファイバーコネクターと直接接触した状態になるように構成されている、請求項１に記載の光ファイバーアダプター。
【請求項３】
前記第１の接続部は実質的にＣ字形の断面を有し、かつは前記第１の光ファイバーコネクターを前記第２の開口部から前記本体の前記収容室に挿入した際に前記第１の光ファイバーコネクターと直接接触した状態にならないようにサイズ決めされている、請求項２に記載の光ファイバーアダプター。
【請求項４】
前記第１のシャッター部材は、前記第１の基部から横方向に延在して前記第２の壁および第４の壁をそれぞれ押圧する２つの第１のフラップをさらに含む、請求項１に記載の光ファイバーアダプター。
【請求項５】
前記第６の壁および第８の壁はそれぞれ前記２つの第１のフラップを前記第２の開口部に向かって押圧するように構成されている、請求項４に記載の光ファイバーアダプター。
【請求項６】
前記第２の支持部は前記第２の接続部から前記第２の基部に向かって延出している、請求項４に記載の光ファイバーアダプター。
【請求項７】
前記第１の支持部に湾曲部が設けられており、前記湾曲部は、前記第１の光ファイバーコネクターを前記第２の開口部から前記本体の前記収容室に挿入した際に前記第１の光ファイバーコネクターと直接接触した状態になるように構成されている、請求項３に記載の光ファイバーアダプター。
【請求項８】
前記第１の接続部の前記第２の開口部に向かうさらなる移動を制限するための前記本体の前記第１の壁に結合された停止ブロックをさらに備え、前記停止ブロック内には前記第１の光ファイバーコネクターに形成されたキー突起部が通過するための切れ目が形成されている、請求項３に記載の光ファイバーアダプター。
【請求項９】
前記第１の壁または前記第３の壁に第５の開口部が形成されており、前記内側ハウジングは、
アームと、
前記アームに結合された係合突起部と
をさらに備え、
前記係合突起部は前記第５の開口部内に配置されている、請求項１に記載の光ファイバーアダプター。
【請求項１０】
前記本体は、前記第２の壁面および第４の壁面にそれぞれ形成された２つの突起部をさらに備え、前記各突起部は前記第１の開口部に面する接触面を有し、前記２つの接触面は前記第１および第２のシャッター板と接触した状態になるように構成されている、請求項１に記載の光ファイバーアダプター。
【発明の詳細な説明】
【技術分野】
【０００１】
本開示は光ファイバーアダプターに関し、より詳細にはシャッター部材を備えた光ファイバーアダプターに関する。
【背景技術】
【０００２】
最近では、光ファイバーはその高帯域幅および低損失性により信号伝送媒体として広く使用されている。中継器を必要とすることなくより長い距離にわたって伝送させるために、高出力ダイオードレーザーを使用してレーザー光を光ファイバーに入射するのが一般的である。しかし、情報を運ぶために使用される高出力レーザー光は通常は目に見えない。言い換えると、高出力レーザー光がファイバーケーブルの開放端から出る場合に、人の目はそれを感知することができない。従って、レーザー光が光ファイバーから出る際の目への損傷を回避するために、高出力レーザー光を遮断する必要がある。
【０００３】
図１を参照すると、従来の光ファイバーアダプター１００は複数の側壁１６０を有するハウジング１１０を備える。側壁１６０は受入凹部１２０を画定している。側壁１６０の１つには、コネクター１９０を受入凹部１２０に挿入した際に光ファイバーコネクター１９０のキー１９２と嵌合するためのスロット１３０が設けられている。また、２つの対向する側壁１６０の外面には、アダプター１００のパネルへの装着を容易にするためのクリップ（図示せず）をその上に配置することができる凹部１４０が設けられている。
【０００４】
一般に、アダプター１００は、別の受入凹部１２０を画定する別のセットの側壁１６０をさらに有する。２つの受入凹部１２０は対向しており、コネクター１９０をそれぞれ受け入れることができる。当然ながら、アダプター１００の２つの受入凹部１２０は２つの異なる種類のコネクターと嵌合するように設計されていてもよい。コネクター１９０は常に光ファイバーケーブル１９４の一端に取り付けられ、光線は光ファイバーケーブル１９４の先まで伝搬してコネクター１９０のフェルール１９６から放射することができる。同様に、光線をフェルール１９６の端面から光ファイバーケーブル１９４の中に結合させることができる。
【０００５】
アダプター１００を使用して２つのコネクター１９０を互いに結合させる場合、２つのコネクター１９０を受入凹部１２０にそれぞれ挿入する。このようにしてコネクター１９０のフェルール１９６を中空のスリーブ（図示せず）の中に滑り込ませ、互いに軸方向に位置合わせして接触させる。光線はコネクター１９０の光ファイバーケーブル１９４から２つのフェルール１９６の間のインタフェースを通って伝搬し、次いで他のコネクター１９０の光ファイバーケーブル１９４に到達することができ、その逆もまた同様である。
【０００６】
１つのコネクター１９０をアダプター１００から外した場合、アダプター１００内になお維持されているコネクター１９０から現在外されているコネクター１９０まで元々伝搬している光線は、その時フェルール１９６から出て受入凹部１２０から放射される。放射している光線が高出力であり、かつ遮断されていない場合、そのような光線への持続的曝露は人々に有害であり、特に目に有害である。従って、高出力光線への曝露を回避するためにキャップ１８０を使用して、使用されていない受入凹部１２０を塞ぐのが一般的である。これにより光線を遮断することができると共に、受入凹部１２０を埃から保護することもできる。コネクター１９０をアダプター１００と嵌合させたい場合には、キャップ１８０を取り外す必要がある。しかし、キャップ１８０は紛失しやすく、それらが嵌合している間も目が光線に曝露される可能性はまだある。
【０００７】
図２を参照すると、従来の光ファイバーアダプター２００はアダプター１００とほぼ同じであるが、ハウジング１１０に枢動可能に接続されたカバー２５０をさらに備える。カバー２５０はその閉鎖位置において受入凹部１２０を覆う。受入凹部１２０がコネクター１９０と嵌合していない場合、バネ２６０はカバー２５０を付勢してその閉鎖位置まで枢動させることができる。従って、カバー２５０はその閉鎖位置において受入凹部１２０から放射している光線を遮断することができる。使用者がコネクター１９０をアダプター２００に嵌合させたい場合には、最初にカバー２５０をその閉鎖位置から持ち上げ、次いでコネクター１９０を受入凹部１２０に挿入する必要がある。コネクター１９０を引き抜くと、カバー２５０はバネ２６０により枢動して受入凹部１２０を覆う。それにより、使用者が高出力光線に曝露される可能性はなくなる。しかし、アダプター２００の構造はアダプター１００の構造よりも非常に複雑である。
【０００８】
図３を参照すると、光ファイバーアダプター１００のための従来の保護キャップ３００は、２つの対向する開口部を有する中空のハウジング３１０と、ハウジング３１０に枢動可能に接続されたカバー３５０とを備える。カバー３５０はバネ３６０によって枢動して２つの開口部のうちの一方を覆う。保護キャップ３００をアダプター１００に付けて、側壁１６０の外面およびアダプター１００の受入凹部１２０を覆うことができる。使用者がコネクター１９０をアダプター２００に嵌合させたい場合には、カバー３５０をその閉鎖位置から持ち上げ、次いでコネクター１９０を受入凹部１２０に挿入する必要がある。同様に、コネクター１９０を引き抜くと、バネ３６０によってカバー３５０は枢動して受入凹部１２０を覆う。それにより、使用者は受入凹部１２０から放射している高出力光線に曝露される可能性はなくなる。しかし、保護キャップ３００の構造は若干複雑であるため安価ではない。保護キャップ３００を導入して光線を遮断するには非常にコストがかかる。
【０００９】
従って、上記問題を解決するための解決法を提供する必要がある。
【発明の概要】
【００１０】
本開示は、収容室から放射している光線を遮断し、それにより光線への曝露から目を保護することができるシャッター部材を備えた光ファイバーアダプターを提供する。また、本光ファイバーアダプターは埃を防ぐこともできる。
【００１１】
一実施形態では、本開示の光ファイバーアダプターは、本体、第１のシャッター部材、第２のシャッター部材および内側ハウジングを備える。本体は、第１の壁、第２の壁、第３の壁および第４の壁によって画定された収容室を有し、第１の壁は第３の壁に面し、かつ第２の壁と第４の壁とを接続している。収容室は、軸方向に対向する第１および第２の開口部を有し、第２の開口部は、第１の光ファイバーコネクターを収容室に挿入することができるように構成されている。第１のシャッター部材は弾性であり、金属で一体形成されている。第１のシャッター部材は第１の開口部から本体の収容室内に配置されてもよい。第１のシャッター部材は、第１の基部、第１の支持部、第１の接続部および第１のシャッター板を含む。第１の基部は第１の壁面に配置されている。第１の接続部は第１の基部と第１の支持部とを接続している。第１のシャッター板は第１の支持部から第３の壁まで延在し、第１の支持部は、第１のシャッター板を駆動して移動させるように構成されている。第２のシャッター部材は弾性であり、金属で一体形成されている。第２のシャッター部材は第１の開口部から本体の収容室内に配置されてもよい。第２のシャッター部材は、第２の基部、第２の支持部、第２の接続部および第２のシャッター板を含む。第２の基部は第３の壁面に配置されている。第２の接続部は第２の基部と第２の支持部とを接続している。第２のシャッター板は第２の支持部から第１の壁まで延在し、第２の支持部は、第２のシャッター板を駆動して移動させるように構成されている。内側ハウジングは第１の開口部から本体の収容室内に配置される。内側ハウジングは、第５の壁、第６の壁、第７の壁および第８の壁によって画定された収容室を有し、第５の壁は第７の壁に面し、かつ第６の壁と第８の壁とを接続している。内側ハウジングの収容室は、軸方向に対向する第３および第４の開口部を有し、第３の開口部は、第２の光ファイバーコネクターを内側ハウジングの収容室に挿入することができるように構成されている。第１の光ファイバーコネクターを第２の開口部から挿入することで第１および第２のシャッター板をそれぞれ第１および第３の壁に向かって揺動させる。
【００１２】
本開示の上記ならびにさらなる目的、特徴および利点は、添付の図面を参照しながら進める以下の詳細な説明からより容易に明らかになるであろう。
【図面の簡単な説明】
【００１３】
【図１】従来の光ファイバーアダプターおよび従来の光ファイバーコネクターを示す正面斜視図である。
【図２】受入凹部から放射している光線を遮断するためのカバーを備えた従来の光ファイバーアダプターの正面斜視図である。
【図３】光ファイバーアダプターのための従来の保護キャップの正面斜視図である。
【図４ａ】従来のＭＰＯ雄型光ファイバーコネクターの正面斜視図である。
【図４ｂ】従来のＭＰＯ雌型光ファイバーコネクターの正面斜視図である。
【図５】本開示の光ファイバーアダプターの分解図である。
【図６ａ】本開示の光ファイバーアダプターの本体の異なる正面斜視図である。
【図６ｂ】本開示の光ファイバーアダプターの本体の異なる正面斜視図である。
【図６ｃ】本開示の光ファイバーアダプターの本体の異なる正面斜視図である。
【図６ｄ】本開示の光ファイバーアダプターの本体の異なる正面斜視図である。
【図６ｅ】図６ａのＡ−Ａ線に沿った横断面図である。
【図６ｆ】図６ａのＢ−Ｂ線に沿った横断面図である。
【図６ｇ】本開示の光ファイバーアダプターの本体の正面図である。
【図７ａ】本開示の光ファイバーアダプターの内側ハウジングの異なる正面斜視図である。
【図７ｂ】本開示の光ファイバーアダプターの内側ハウジングの異なる正面斜視図である。
【図７ｃ】本開示の光ファイバーアダプターの内側ハウジングの異なる正面斜視図である。
【図７ｄ】本開示の光ファイバーアダプターの内側ハウジングの異なる正面斜視図である。
【図８ａ】本開示の光ファイバーアダプターの第１のシャッター部材の異なる正面斜視図である。
【図８ｂ】本開示の光ファイバーアダプターの第１のシャッター部材の異なる正面斜視図である。
【図８ｃ】本開示の光ファイバーアダプターの第１のシャッター部材の異なる正面斜視図である。
【図８ｄ】図８ａのＣ−Ｃ線に沿った横断面図である。
【図８ｅ】図８ａのＤ−Ｄ線に沿った横断面図である。
【図９ａ】本開示の光ファイバーアダプターの第２のシャッター部材の異なる正面斜視図である。
【図９ｂ】本開示の光ファイバーアダプターの第２のシャッター部材の異なる正面斜視図である。
【図９ｃ】本開示の光ファイバーアダプターの第２のシャッター部材の異なる正面斜視図である。
【図９ｄ】本開示の光ファイバーアダプターの第２のシャッター部材の異なる正面斜視図である。
【図９ｅ】図９ａのＥ−Ｅ線に沿った横断面図である。
【図９ｆ】図９ａのＦ−Ｆ線に沿った横断面図である。
【図１０】本開示の光ファイバーアダプターの組み立て方法を示す。
【図１１】本開示の光ファイバーアダプターの正面斜視図である。
【図１２】図１１のＧ−Ｇ線に沿った横断面図である。
【図１３】本開示の光ファイバーアダプターの第１および第２のシャッター部材の動作原理を示す。
【図１４】２つの光ファイバーコネクターを互いに結合するための本開示の光ファイバーアダプターの使用方法を示す。
【図１５】２つの光ファイバーコネクターを互いに結合するための本開示の光ファイバーアダプターの使用方法を示す。
【発明を実施するための形態】
【００１４】
従来の多心ＭＰＯ雄型および雌型光ファイバーコネクター４００ａおよび４００ｂをそれぞれ示す図４ａおよび図４ｂを参照する。それぞれの光ファイバーコネクター４００ａおよび４００ｂは、その前部の上面に形成された矩形のキー突起部４１２を有する。前部の２つの対向する外側面には２つの凹部４１４が位置している。複数の光ファイバー４３０が前部の前端面４２０から露出されており、それと同一平面上にある。光ファイバーコネクター４００ａの端面４２０から２つのガイドピン４４０が突出しており、光ファイバーコネクター４００ｂの端面４２０にはコネクター４００ａのガイドピン４４０をそれぞれ受け入れるための２つのガイドホール４５０が形成されている。
【００１５】
図５を参照すると、本開示に係る光ファイバーアダプターはＭＰＯ型光ファイバーアダプターであってもよく、本体５００、内側ハウジング６００、第１のシャッター部材７００および第２のシャッター部材８００を備える。
【００１６】
次に、本開示の本体５００を示す図６ａ〜図６ｇを参照する。本体５００は射出成形プロセスによってプラスチックで作られていてもよい。本体５００は中空であり、実質的に矩形状の断面を有する。本体５００は、頂壁５１１、底壁５１２、右側壁５１３および左側壁５１４によって画定された収容室５１５を有し、頂壁５１１は底壁５１２に面し、かつ右側壁５１３と左側壁５１４とを接続している。収容室５１５は、長手方向すなわち軸方向に第１の開口部５１７および対向する第２の開口部５１８を有する。頂壁５１１は第１の開口部５１７の近くに位置する矩形の開口部５２１と共に形成されている。同様に、底壁５１２は第１の開口部５１７の近くに位置する矩形の開口部５２２と共に形成されている。一実施形態では、開口部５２１および５２２は貫通孔である。右側壁５１３および左側壁５１４のそれぞれにフック５４２が形成されている。２つのフック５４２は互いに面し、かつ第２の開口部５１８に向かって軸方向に延在するように配置されている。第２の開口部５１８の近くの収容室５１５内の頂壁５１１には少なくとも１つの停止ブロック５５０が形成されている。停止ブロック５５０は、頂壁５１１から横方向に突出する垂直部５５１および垂直部５５１から第１の開口部５１７に向かって横方向に突出する水平部５５２を含む。従って、停止ブロック５５０はＬ字形の断面を有する。それにより、停止ブロック５５０と頂壁５１１との間に室５５３が画定される。室５５３は第１の開口部５１７に面する開口部を有する。水平部５５２の後端には傾斜した接触面５５４が形成されている。接触面５５４は頂壁５１１および第１の開口部５１７に面するように配置されている。一実施形態では、頂壁５１１に形成された２つの停止ブロック５５０があり、停止ブロック５５０の一方は右側壁５１３の近くに位置し、他方の停止ブロック５５０は左側壁５１４の近くに位置している。２つの停止ブロック５５０の垂直部５５１は互いに向かって延在し、かつ互いに接続して連続的な垂直部５５１を形成していてもよい。但し、連続的な垂直部５５１には、光ファイバーコネクター４００ａまたは４００ｂを第２の開口部５１８から収容室５１５に挿入した際にキー突起部４１２が通過するための切れ目５５８が形成されており、その切れ目は光ファイバーコネクター４００ａまたは４００ｂのキー突起部４１２の幅よりも僅かに大きい幅を有する。同様に、第２の開口部５１８の近くの収容室５１５内の底壁５１２には少なくとも１つの停止ブロック５６０が形成されている。停止ブロック５６０は、底壁５１２から横方向に突出する垂直部５６１および垂直部５６１から第１の開口部５１７に向かって横方向に突出する水平部５６２を含む。従って、停止ブロック５６０はＬ字形の断面を有する。それにより、停止ブロック５６０と底壁５１２との間に室５６３が画定される。室５６３は第１の開口部５１７に面する開口部を有する。水平部５６２の後端には傾斜した接触面５６４が形成されている。接触面５６４は、底壁５１２および第１の開口部５１７に面するように配置されている。一実施形態では、底壁５１２に形成された２つの停止ブロック５６０があり、停止ブロック５６０の一方は右側壁５１３の近くに位置し、他方の停止ブロック５６０は左側壁５１４の近くに位置している。２つの停止ブロック５６０の垂直部５６１は互いに向かって延在し、かつ互いに接続して連続的な垂直部５６１を形成していてもよい。また、右側壁５１３および左側壁５１４にはそれぞれ突起部５７０が形成されている。各突起部５７０は、第１の開口部５１７に面するようにその外面に形成された傾斜した接触面５７２を有する。
【００１７】
次に、本開示の内側ハウジング６００を示す図７ａ〜図７ｄを参照する。内側ハウジング６００は射出成形プロセスによってプラスチックで作られていてもよい。内側ハウジング６００は中空であり、実質的に矩形状の断面を有する。内側ハウジング６００は頂壁６１１、底壁６１２、右側壁６１３および左側壁６１４によって画定された収容室６１５を有し、頂壁６１１は底壁６１２に面し、かつ右側壁６１３と左側壁６１４とを接続している。収容室６１５は、長手方向すなわち軸方向に第３の開口部６１７および対向する第４の開口部６１８を有する。右側壁６１３および左側壁６１４のそれぞれにフック６４２が形成されている。２つのフック６４２は互いに面し、かつ第３の開口部６１７に向かって軸方向に延在するように配置されている。頂壁６１１は軸方向に延在するスロットと共に形成されており、このスロットは矩形の切れ目６５１を画定している。切れ目６５１内にはアーム６２１が形成されており、頂壁６１１から第３の開口部６１７に向かって軸方向に突出している。それに応じて、アーム６２１は頂壁６１１に結合された根元を有する。底壁６１２も軸方向に延在するスロットと共に形成されており、このスロットは矩形の切れ目６５２を画定している。切れ目６５２内にはアーム６２２が形成されており、底壁６１２から第３の開口部６１７に向かって軸方向に突出している。それに応じて、アーム６２２は底壁６１２に結合された根元を有する。収容室６１５の外側にあるアーム６２１および６２２の表面にはそれぞれ係合突起部６３１および６３２が形成されている。係合突起部６３１および６３２は、それぞれのアーム６２１および６２２の根元に向かって傾斜しているそれぞれの角度のある外面、すなわち傾斜した外面を画定している。収容室６１５内の頂壁６１１には軸方向に延在する矩形の凹部６４１が形成されている。一実施形態では、アーム６２１は凹部６４１の底を画定している。凹部６４１は、光ファイバーコネクター４００ａまたは４００ｂを第３の開口部６１７から収容室６１５に挿入した際にキー突起部４１２を受け入れるために光ファイバーコネクター４００ａまたは４００ｂのキー突起部４１２の幅よりも僅かに大きい幅を有する。
【００１８】
次に、本開示の第１のシャッター部材７００を示す図８ａ〜図８ｅを参照する。第１のシャッター部材７００は弾性であり、金属シートで一体形成されている。第１のシャッター部材７００は、シャッター板７１０、接続部７２０、基部７３０、２つのフラップ７４０および支持部７５０を含む。基部７３０はほぼ矩形であり、接続部７２０は基部７３０の前側から延出している。２つのフラップ７４０はそれぞれ基部７３０の右側および左側から横方向に突出している。接続部７２０は実質的にＣ字形の断面を有し、基部７３０と支持部７５０とを接続している。また、接続部７２０は、第１のシャッター部材７００を本体５００に挿入した際に連続的な垂直部５５１よりも低い位置にあり、かつ基部７３０が頂壁５１１の表面に配置されるようにサイズ決めされている。シャッター板７１０は湾曲しており、対向する前面７１７および背面７１８を有する。シャッター板７１０は、前面７１７に凹面７１１ａを画定する湾曲部７１１をさらに有する。シャッター板７１０は約１８０°の角度で支持部７５０から延出している。シャッター板７１０は接続部７２０の周りを基部７３０に向かって枢動可能に移動させることができる。シャッター板７１０は前面７１７に加わる押力により基部７３０の近くまで曲げられ、押力を取り除くと素早くその元の位置に戻る。シャッター板７１０を基部７３０の近くに移動させると接続部７２０は変形する。支持部７５０は波形状の断面を有し、均一な幅を有する。支持部７５０は、シャッター板７１０に接続する側面と接続部７２０に接続する対向する側面とを有する。支持部７５０は対向する前面７５７および背面７５８を有し、背面７５８は基部７３０に面し、かつシャッター板７１０の背面７１８まで連続的に延在している。支持部７５０の前面７５７はシャッター板７１０の前面７１７まで連続的に延在している。支持部７５０はシャッター板７１０および接続部７２０の両方よりも幅が狭い。支持部７５０は第１の湾曲部７５１、第２の湾曲部７５２および第３の湾曲部７５３をさらに有し、第１の湾曲部７５１は接続部７２０の近くに位置し、第３の湾曲部７５３はシャッター板７５３の近くに位置し、第２の湾曲部７５２は第１の湾曲部７５１と第３の湾曲部７５３との間に位置する。第１の湾曲部７５１は前面７５７に凹面７５１ａを画定しており、第２の湾曲部７５２は、背面７５８に凹面７５２ａを画定しており、第３の湾曲部７５３は、支持部７５０の前面７５７に凹面７５３ａを画定している。支持部７５０は、第１の湾曲部７５１から第２の湾曲部７５２までの部分において基部７３０から離れるように延在しており、第２の湾曲部７５２と第３の湾曲部７５３との間の部分は基部７３０に実質的に平行である。
【００１９】
次に、本開示の第２のシャッター部材８００を示す図９ａ〜図９ｆを参照する。第２のシャッター部材８００は弾性であり、金属シートで一体形成されている。第２のシャッター部材８００は、シャッター板８１０、接続部８２０、基部８３０、２つのフラップ８４０および支持部８５０を含む。基部８３０はほぼ矩形であり、接続部８２０は基部８３０の前側から延出している。２つのフラップ８４０はそれぞれ基部８３０の右側および左側から横方向に突出している。接続部８２０は実質的にＣ字形の断面を有し、基部８３０と支持部８５０とを接続している。また、接続部８２０は、第２のシャッター部材８００を本体５００に挿入した際に連続的な垂直部５６１よりも高い位置にあり、かつ基部８３０が底壁５１２の表面に配置されるようにサイズ決めされている。接続部８２０は接続部７２０よりも大きい曲げ半径を有する。シャッター板８１０は湾曲しており、対向する前面８１７および背面８１８を有する。シャッター板８１０は、前面８１７に凹面８１１ａを画定する湾曲部８１１をさらに有する。シャッター板８１０は約１８０°の角度で支持部８５０から延出している。シャッター板８１０は接続部８２０の周りを基部８３０に向かって枢動可能に移動させることができる。シャッター板８１０は前面８１７に加わる押力によって基部８３０の近くまで曲げられ、押力を取り除くと素早くその元の位置に戻る。シャッター板８１０を基部８３０の近くまで移動させると接続部８２０は変形する。支持部８５０は均一な幅を有し、約１８０°の角度で接続部８２０から延出している。支持部８５０は、シャッター板８１０に接続する側面および接続部８２０に接続する対向する側面を有する。支持部８５０は対向する前面８５７および背面８５８を有し、背面８５８は基部８３０に面し、かつシャッター板８１０の背面８１８まで連続的に延在している。支持部８５０の前面８５７はシャッター板８１０の前面８１７まで連続的に延在している。支持部８５０はほぼ矩形であり、基部８１０に向かって接続部８２０から延出している。支持部８５０は接続部８２０と幅が等しいが、シャッター板８１０よりも幅が狭い。湾曲部８５１が支持部８５０の後側に形成されており、支持部８５０の前面８５７に凹面８５１ａを画定している。
【００２０】
図１０を参照すると、本開示の光ファイバーアダプターを組み立てる準備をする場合、最初に、接続部７２０を停止ブロック５５０の方に向けてそこに向かって移動させるように、第１のシャッター部材７００を第１の開口部５１７から本体５００に挿入する。接続部７２０が垂直部５５１に近づいた後、基部７３０は本体５００の頂壁５１１の表面に位置し、シャッター板７１０の前面７１７は第２の開口部５１８に面する。この状態では、シャッター板７１０は底壁５１２に向かって延在し、接続部７２０は連続的な垂直部５５１よりも低い位置にある。さらに、２つのフラップ７４０はそれぞれ本体５００の右側壁５１３および左側壁５１４を押圧する。第１のシャッター部材７００が本体５００内の適所に到達した後、次いで、接続部８２０を停止ブロック５６０の方に向けてそこに向かって移動させるように、第２のシャッター部材８００を第１の開口部５１７から本体５００に挿入する。接続部８２０が垂直部５６１に近づいた後、基部８３０は本体５００の底壁５１２の表面に位置し、シャッター板８１０の前面８１７は第２の開口部５１８に面し、背面７１８の後部において第１のシャッター部材７００のシャッター板７１０を押圧する。この状態では、シャッター板８１０は頂壁５１１に向かって延在し、接続部８２０は連続的な垂直部５６１よりも高い位置にある。さらに、２つのフラップ８４０はそれぞれ本体５００の右側壁５１３および左側壁５１４を押圧する。
【００２１】
最後に、そのフック６４２が本体５００の第２の開口部５１８の後方に配置された状態で、内側ハウジング６００を第１の開口部５１７から本体５００に挿入する。本開示の光ファイバーアダプターでは、内側ハウジング６００の頂壁６１１および底壁６１２がそれぞれ本体５００の頂壁５１１および底壁５１２に直接面して配置された状態になるように、内側ハウジング６００を本体５００に挿入してもよい。あるいは、頂壁６１１および底壁６１２をそれぞれ本体５００の底壁５１２および頂壁５１１に直接面するように配置してもよい。図１０に示す組み立て方法では、内側ハウジング６００を本体５００に挿入した場合、内側ハウジング６００の頂壁６１１および底壁６１２はそれぞれ本体５００の頂壁５１１および底壁５１２に直接面する。内側ハウジング６００を本体５００の中に押し込むと、係合突起部６３１および６３２はそれぞれ頂壁５１１および底壁５１２の表面を摺動し、それによりアーム６２１および６２２を曲げる。係合突起部６３１、６３２がそれぞれ開口部５２１、５２２の中に収まるように内側ハウジング６００を本体５００の中に押し込み続けると、アーム６２１および６２２は跳ね上がり、本開示の光ファイバーアダプターの組み立ては終了する。この状態では、内側ハウジング６００の右側壁６１３および左側壁６１４の後側はそれぞれ、第１のシャッター部材７００の２つのフラップ７４０の後側および第２のシャッター部材８００の２つのフラップ８４０の後側を押圧して、接続部７２０および８２０をそれぞれ停止ブロック５５０および５６０に向かってさらに押圧する。図１１および図１２は、本開示の組み立てられた光ファイバーアダプターを示す。
【００２２】
図１３を参照すると、１つの光ファイバーコネクターも第２の開口部５１８から本体５００に挿入されていない場合には、第１のシャッター部材７００のシャッター板７１０および第２のシャッター部材８００のシャッター板８１０は弾性により跳ね上がる。図４ａの光ファイバーコネクター４００ａを第３の開口部６１７から内側ハウジング６００に挿入すると、光ファイバーコネクター４００ａの光ファイバー４３０から放射している光線はシャッター板７１０および８１０により遮断される。従って、有害な光線への曝露の発生を回避することができる。また、シャッター板７１０、８１０の縁は本体５００の右側壁５１３および左側壁５１４にある突起部５７０の接触面５７２と接触する。本体５００の水平部５５２、５６２にある傾斜した接触面５５４、５６４はそれぞれシャッター板７１０、８１０の前面７１７、８１７と接触した状態になる。これにより、挿入された光ファイバーコネクター４００ａは第２の開口部５１８から本体５００の中に侵入した汚染物からさらに保護される。
【００２３】
図１４および図１５を参照すると、そのキー突起部４１２が停止ブロック５５０の連続的な垂直部５５１内の切れ目５５８および２つの水平部５５２間の隙間を通過するように、図４ｂの光ファイバーコネクター４００ｂを第２の開口部５１８から本体５００に挿入することができる。接続部７２０は連続的な垂直部５５１よりも低い位置にあり、かつ接続部８２０は連続的な垂直部５６１より高い位置にあるため、挿入された光ファイバーコネクター４００ｂは接続部８２０と最初に接触をする。接続部８２０は変形し、それにより支持部８５０を駆動して移動させる。次いで、移動している支持部８５０はシャッター板８１０を駆動して本体５００の底壁５１２に向かって揺動させる。光ファイバーコネクター４００ｂを本体５００の中に押し込み続けると、次いでそのキー突起部４１２は第１のシャッター部材７００の支持部７５０に接触する。押圧された支持部７５０はシャッター板７１０を駆動して本体５００の頂壁５１１に向かって揺動させる。光ファイバーコネクター４００ｂを本体５００の中にさらに押し込むと、キー突起部４１２は支持部７５０の第２の湾曲部７５２に直接接触してシャッター板７１０を頂壁５１１に向かってさらに移動させる。挿入された光ファイバーコネクター４００ｂが支持部７５０を押圧し始める際は、それが接続部８２０となお接触した状態であることが分かる。光ファイバーコネクター４００ｂを本体５００になおさらに押し込むと、シャッター板７１０、８１０の両方に直接接触してそれらの端部をそれぞれ頂壁５１１および底壁５１２により近づいた状態になるまで押圧する。
【００２４】
光ファイバーコネクター４００ｂを本体５００に完全に挿入すると、本体５００のフック５４２はそれぞれ光ファイバーコネクター４００ｂにある凹部４１４に掛止される。光ファイバーコネクター４００ａのガイドピン４４０はそれぞれ光ファイバーコネクター４００ｂのガイドホール４５０に挿入され、光ファイバーコネクター４００ａおよび４００ｂから露出された光ファイバー４３０は互いに直接接触するため、１つのファイバーから放射している光線を結合されているファイバーに光学的に結合させることができる。光ファイバーコネクター４００ａおよび４００ｂが互いに光学的に接触すると、シャッター板７１０および支持部７５０は本体５００の頂壁５１１と光ファイバーコネクター４００ｂとの間に配置される状態になるまで押圧され、シャッター板８１０および支持部８５０は底壁５１２と光ファイバーコネクター４００ｂとの間に配置される状態になるまで押圧される。光ファイバーコネクター４００ｂを本体５００から引き抜くと、押圧されたシャッター板７１０、８１０は弾性によりそれぞれの元の位置に素早く跳ね返って光ファイバーコネクター４００ａの光ファイバー４３０から放射している光線を再び遮断する。その結果、有害な光線への曝露の発生を回避することができる。
【００２５】
本開示の光ファイバーアダプターでは、内側ハウジング６００の係合突起部６３１、６３２はそれぞれ頂壁５１１および底壁５１２にある開口部５２１、５２２内に収まり、内側ハウジング６００が第１の開口部５１７から本体５００の外に抜け出るのを防止する。内側ハウジング６００の凹部６４１は光ファイバーコネクター４００ａまたは４００ｂのキー突起部４１２を受け入れるように構成されているため、光ファイバーコネクター４００ａ、４００ｂを内側ハウジング６００に所定の向きでのみ挿入することができる。内側ハウジング６００を本体５００の中に配置する場合に内側ハウジング６００の頂壁６１１および底壁６１２をそれぞれ本体５００の頂壁５１１および底壁５１２に面するように、あるいはそれぞれ底壁５１２および頂壁５１１に面するように配置することにより、光ファイバーコネクター４００ａおよび４００ｂの結合極性を切り換えてもよい。本体５００および内側ハウジング６００のフック５４２、６４２は、光ファイバーコネクター４００ａまたは４００ｂにある凹部４１４に掛止されるように構成されている。
【００２６】
図１４および図１５を再度参照すると、光ファイバーコネクター４００ｂを第２の開口部５１８から本体５００に挿入する前に、第１シャッター部材７００および第２のシャッター部材８００を本体５００から外す必要はない。光ファイバーコネクター４００ｂを第２の開口部５１８から本体５００に挿入する場合、シャッター板７１０、８１０はそれぞれ本体５００の頂壁５１１および底壁５１２に近づくまで押圧される。光ファイバーコネクター４００ｂを本体５００から引き抜くと、押圧されたシャッター板７１０、８１０は弾性によりそれぞれの元の位置に素早く跳ね返る。従って、光ファイバーコネクター４００ａの光ファイバー４３０から放射している光線を再度遮断することができる。
【００２７】
本開示の光ファイバーアダプターでは、シャッター部材７００、８００のフラップ７４０、８４０は、右側壁５１３および左側壁５１４を押圧するように本体５００内に配置されているため、本体５００の収容室５１５におけるシャッター部材７００、８００の横移動を制限することができる。本体５００の２つの水平部５５２間の隙間は、支持部７５０の揺動の妨害を回避するために第１のシャッター部材７００の支持部７５０の幅よりも大きい。同様に、本体５００の２つの水平部５６２間の隙間は、それらの揺動の妨害を回避するために第２のシャッター部材８００の接続部８２０および支持部８５０の両方の幅よりも大きい。本体５００の水平部５５２、５６２にある傾斜した接触面５５４、５６４は、シャッター板７１０、８１０が第２の開口部５１８に向かってさらに揺動するのを防止するために、シャッター板７１０、８１０の前面７１７、８１７とそれぞれ接触した状態になるように構成されている。さらに、第１および第２のシャッター部材７００、８００は、第２の開口部５１８から本体５００に挿入された光ファイバーコネクターによってシャッター板７１０よりも早くシャッター板８１０が駆動されて揺動されるように設計されていてもよい。これによりシャッター板７１０および８１０が互いに妨害し合うのを防止してもよい。
【００２８】
さらに、開口部５２１、５２２が貫通孔である場合、開口部５２１、５２２を通して細長い物体を使用してアーム６２１、６２２を押し下げることができる。このようにして内側ハウジング６００およびシャッター部材７００、８００を第１の開口部５１７を通して本体５００から取り出してもよい。本体５５０の停止ブロック５５０、５６０はそれぞれシャッター部材７００、８００の接続部７２０、８２０のさらなる移動を制限するように配置されているため、シャッター部材７００、８００を第２の開口部５１８から引き抜くことはできない。
【００２９】
本開示についてＭＰＯ型光ファイバーアダプターを用いて詳細に説明してきたが、当然のことながら本開示の光ファイバーアダプターは他の種類の光ファイバーアダプターを含んでもよい。
【００３０】
例示を目的として本開示の好ましい実施形態について開示してきたが、当業者であれば、添付の特許請求の範囲に開示されている本開示の範囲および趣旨から逸脱することなく各種修正、追加および置換が可能であることが分かるであろう。
【図１】
2018136520.tif 000003
【図２】
2018136520.tif 000004
【図３】
2018136520.tif 000005
【図４ａ】
2018136520.tif 000006
【図４ｂ】
2018136520.tif 000007
【図５】
2018136520.tif 000008
【図６ａ】
2018136520.tif 000009
【図６ｂ】
2018136520.tif 000010
【図６ｃ】
2018136520.tif 000011
【図６ｄ】
2018136520.tif 000012
【図６ｅ】
2018136520.tif 000013
【図６ｆ】
2018136520.tif 000014
【図６ｇ】
2018136520.tif 000015
【図７ａ】
2018136520.tif 000016
【図７ｂ】
2018136520.tif 000017
【図７ｃ】
2018136520.tif 000018
【図７ｄ】
2018136520.tif 000019
【図８ａ】
2018136520.tif 000020
【図８ｂ】
2018136520.tif 000021
【図８ｃ】
2018136520.tif 000022
【図８ｄ】
2018136520.tif 000023
【図８ｅ】
2018136520.tif 000024
【図９ａ】
2018136520.tif 000025
【図９ｂ】
2018136520.tif 000026
【図９ｃ】
2018136520.tif 000027
【図９ｄ】
2018136520.tif 000028
【図９ｅ】
2018136520.tif 000029
【図９ｆ】
2018136520.tif 000030
【図１０】
2018136520.tif 000031
【図１１】
2018136520.tif 000032
【図１２】
2018136520.tif 000033
【図１３】
2018136520.tif 000034
【図１４】
2018136520.tif 000035
【図１５】
2018136520.tif 000036